(57)【特許請求の範囲】
【請求項１】
モータの回転をベルト及びプーリを介してリール刃に伝達しているとともにリール刃がその回転軸ごとフレームに対して着脱自在となっている芝刈機であって、モータの出力軸に設けたプーリにベルトで連結された駆動側のプーリを設けて、この駆動側のプーリとリール刃側のプーリとをベルトで連結し、上記駆動側のプーリの回転軸からリール刃の回転軸までの距離よりも、上記駆動側のプーリの回転軸からリール刃の着脱方向におけるフレームの端部までの距離を短くしているとともに、リール刃が下部に配されて下方がリール刃の着脱方向となっているフレームの下部寄りに、モータとリール刃との間に介在する前記駆動側のプーリを配して、該駆動側のプーリの回転軸からフレーム下端までの距離を、該駆動側のプーリとリール刃側のプーリとの間の軸間距離よりも短くしていることを特徴とする芝刈機。
【請求項２】
モータとリール刃との間に介在するプーリは、リール刃と固定刃との対向方向と直交する方向に位置させていることを特徴とする請求項１記載の芝刈機。
【請求項３】
ベルトがタイミングベルトであることを特徴とする請求項１または２記載の芝刈機。
【発明の詳細な説明】
【０００１】
【発明の属する技術分野】
本発明はリール刃を備えた芝刈機に関するものである。
【０００２】
【従来の技術】
回転駆動されるリール刃を備えた芝刈機では、リール刃への回転動力の伝達を、図８に示すように、モータ３の出力軸３０に設けたプーリ３１と、リール刃の回転軸２０に設けたプーリ２１との間にベルト３２を掛け渡すことで行っている。図中１は芝刈機本体、１０はそのフレーム、１１は前輪、１２は後輪、４は固定刃、５はハンドルである。
【０００３】
【発明が解決しようとする課題】
芝刈機本体１をコンパクトにまとめて、芝刈り作業をしやすくするには、下部に配置しなくてはならないリール刃２の上方側にリール刃２の駆動用のモータ３を配置することになるが、この場合、リール刃２のメンテナンスや交換のためにリール刃２を取り外す時、ベルト３２にかけているテンションに対向する力を加えなくてはならず、作業が困難である。
【０００４】
また、ベルト３２にかけたテンションは、図９にも示すように、リール刃２を固定刃４から離す方向の力Ｆとして作用するために、リール刃２と固定刃４との隙間２４は大きくなる傾向にある。
【０００５】
本発明はこのような点に鑑みなされたものであって、その目的とするところはリール刃の交換作業が容易である芝刈機を提供するにあり、また他の目的とするところはリール刃と固定刃との隙間の管理が容易である芝刈機を提供するにある。
【０００６】
【課題を解決するための手段】
しかして本発明は、モータの回転をベルト及びプーリを介してリール刃に伝達しているとともにリール刃がその回転軸ごとフレームに対して着脱自在となっている芝刈機であって、モータの出力軸に設けたプーリにベルトで連結された駆動側のプーリを設けて、この駆動側のプーリとリール刃側のプーリとをベルトで連結し、上記駆動側のプーリの回転軸からリール刃の回転軸までの距離よりも、上記駆動側のプーリの回転軸からリール刃の着脱方向におけるフレームの端部までの距離を短くすることで、リール刃のフレームへの固定を外せば、リール刃を駆動側のプーリの回転軸側に寄せることができるようにしたものである。
【０００７】
しかも、リール刃が下部に配されて下方がリール刃の着脱方向となっているフレームの下部寄りに、上記駆動側のプーリを配して、該プーリの回転軸からフレーム下端までの距離を、該プーリとリール刃側のプーリとの間の軸間距離よりも短くしているために、モータの配置を変更することなく、リール刃の着脱交換を容易とすることができる。
【０００８】
また、モータとリール刃との間に介在する上記プーリは、リール刃と固定刃との対向方向と直交する方向に位置させることで、ベルトにかけるテンションがリール刃と固定刃との隙間に及ぼす影響を小さくすることができる。
【０００９】
ベルトにはタイミングベルトを用いてもよい。
【００１０】
【発明の実施の形態】
以下本発明を実施の形態の一例に基づいて詳述すると、図１〜図５において、芝刈機本体１はその後部に集草篭６が着脱自在に取り付けられるもので、本体１の前端側の左右には前輪１１が、後端側にはローラー状の後輪１２が配設されており、本体１の上面側にはハンドル５が前後方向に回動自在に連結されている。
【００１１】
本体１内には駆動源であるモータ３と該モータ３によって回転駆動されるリール刃２、そしてリール刃２に接近配置された固定刃４が配設されている。フレーム１０に固定された上記モータ３の出力軸３０にはプーリ３１が固着されており、同じくフレーム１０に回転自在に取り付けられたリール刃２の回転軸２０にもプーリ２１が固着されているのであるが、ここでは両プーリ３１，２１を直接ベルトで連結するのではなく、フレーム１０に軸３５を介して回転自在に取り付けたプーリ３６を設けて、上記プーリ３１とプーリ３６との間をベルト３３で連結するとともに、プーリ３６とプーリ２１との間をベルト３２で連結して、これらベルト３３，３２とプーリ３１，３６，２１によってモータ３の回転がリール刃２に伝えられるようにしてある。図中３７はこのベルト３２，３３による動力伝達部の下方側を覆っているカバーである。
【００１２】
上記固定刃４は、リール刃２に微小な隙間を介して対向するもので、フレーム１０に後端が軸４１で支持されている左右一対の調節アーム４０，４０間に取り付けられている。該調節アーム４０はその前端側が調節ねじ４２とばね４３とによってフレーム１０に取り付けられており、調節ねじ４２を回して軸４１を中心として調節アーム４０を回動させることにより、リール刃２との間の隙間を調節することができるようになっている。
【００１３】
また、後輪１２はフレーム１０の所定位置に取り付けられているのに対して、左右一対の前輪１１は回動板１５を介してフレーム１０に取り付けられており、回動板１５から突設されて本体１上面側に突出している調節レバー１６で回動板１５を軸１７を中心として回動させることで、フレーム１０に対する前輪１０の上下位置を変更することができるようになっており、このために芝の刈り高さを変更することができる。
【００１４】
リール刃２を回転駆動させれば、リール刃２と固定刃４との間で芝を切断することができるものであり、切断された芝はリール刃２の回転に伴って後方上部へと送られて集草篭６に入る。この時、リール刃２が螺旋状に形成されたブレードを周部に複数枚備えたものとして形成されている関係で、刈られた芝は集草篭６の一側に寄ってしまう傾向にあるが、ここではリール刃２から本体１の後端開口面（集草篭６の取り付け面）に至る空間に、上方側からガイド板１９を配設して、芝の偏りを防ぐようにしてある。
【００１５】
そして、上記リール刃２であるが、この交換は図４に示すように、固定刃４を備えた調整アーム４０を回動させて固定刃４をリール刃２の直下位置から退避させるとともにカバー４７を外した後、図５に示すように、リール刃２の回転軸２０を受けている軸受２５のフレーム１０への固定用の押さえ板１７の固定用ビスを外して押さえ板１７を取り外せば、リール刃２を回転軸２０及び軸受２５ごとフレーム１０の下方側に抜き出すことができるものであり、この時、リール刃２のプーリ２１にベルト３２によって回転を伝えるプーリ３６の軸３５からフレーム１０下端までの距離Ｌは、軸３５と回転軸２０との軸間距離Ｄよりもかなり短いものとなっているために、ベルト３２に力を加えたりしなくても、フレーム１０に邪魔されることなくベルト３２に対するプーリ２１の掛け外しを行うことができる。従って、リール刃２の交換を容易に行うことができるものである。
【００１６】
図６に他例を示す。これは軸３５及びプーリ３６をモータ３及びリール刃２の後方側で且つリール刃２と固定刃４との対向方向と直交する方向のところに配置したもので、軸３５の位置がモータ３の位置より低く、このために上記のものと同様にリール刃２の交換を容易に行うことができることに加えて、リール刃２のプーリ２１とプーリ３５との間に働かせるベルト３２のテンションによる力Ｆは、図７に示すように、リール刃２と固定刃４との隙間３２の寸法をあまり大きくしてしまうことがなく、隙間３２の管理が容易となる。
【００１７】
なお、ここではリール刃２の着脱をフレーム１０の下方側に引き出して交換することを前提としたことから、軸３５及びプーリ３６を介在させることで、リール刃２のプーリ２１とこれの駆動側のプーリ３６との軸間距離よりも、駆動側のプーリ３６の回転軸からフレーム１０下端までの距離をかなり短くすることができるようにしたものを示したが、プーリ３１とプーリ２１とを直接ベルト３２で接続する場合、フレーム１０における軸２０の固定部の前方側あるいは後方側にフレーム１０下端までつながるとともに少し上方側に延びた溝を設ければ、軸受２５の固定を外して溝の上端まで回転軸２０を移動させることで、ベルト３２に力を加えなくても、フレーム１０に邪魔されることなくベルト３２に対するプーリ２１の掛け外しを行うことができる。
【００１８】
また、ベルト３２としてタイミングベルトを用いると、スリップの無い駆動を行うことができるほか、プーリ２１へのベルト３２の嵌め込み深さを浅くすることができるために、プーリ２１（回転軸２０）を駆動側に少し寄せるだけで、ベルト３２にテンションをかけることなくリール刃２の交換を行うことができる。
【００１９】
【発明の効果】
以上のように本発明においては、モータの回転をベルト及びプーリを介してリール刃に伝達しているとともにリール刃がその回転軸ごとフレームに対して着脱自在となっている芝刈機において、モータの出力軸に設けたプーリにベルトで連結された駆動側のプーリを設けて、この駆動側のプーリとリール刃側のプーリとをベルトで連結し、上記駆動側のプーリの回転軸からリール刃の回転軸までの距離よりも、上記駆動側のプーリの回転軸からリール刃の着脱方向におけるフレームの端部までの距離を短くしているために、リール刃のフレームへの固定を外せば、リール刃を駆動側のプーリの回転軸側にフレームに邪魔されることなく寄せることができるものであり、このためにベルトを緩めた状態でリール刃の着脱を行うことができ、リール刃のメンテナンスや交換を容易に行えるものである。
【００２０】
しかも、リール刃が下部に配されて下方がリール刃の着脱方向となっているフレームの下部寄りに、前記駆動側のプーリを配して、該プーリの回転軸からフレーム下端までの距離を、該プーリとリール刃側のプーリとの間の軸間距離よりも短くしているために、モータの配置を変更することなく、リール刃の着脱交換を容易とすることができる。
【００２１】
また、モータとリール刃との間に介在する上記プーリは、リール刃と固定刃との対向方向と直交する方向に位置させることで、ベルトにかけるテンションがリール刃と固定刃との隙間を大きくする方向に作用することがなくて、隙間の管理が容易となる。
【００２２】
そして、ベルトにタイミングベルトを用いれば、スリップの無い駆動を行うことができるとともに、ベルトのプーリへのはめ込み深さを浅くすることができるために、プーリのベルトに対する掛け外しが容易となる。
【図面の簡単な説明】
【図１】本発明の実施の形態の一例の縦断面図である。
【図２】同上の底面図である。
【図３】同上の平面図である。
【図４】同上のリール刃の交換作業途中の状態を示す縦断面図である。
【図５】同上のリール刃の交換作業途中の状態を示す縦断面図である。
【図６】他例の縦断面図である。
【図７】同上のリール刃と固定刃との部分拡大断面図である。
【図８】従来例の縦断面図である。
【図９】同上のリール刃と固定場との部分拡大断面図である。
【符号の説明】
２  リール刃
３  モータ
１０  フレーム
２０  回転軸
２１  プーリ
３２  ベルト
３５  軸
３６  プーリ
【図１】
0003684949.tif 000002
【図２】
0003684949.tif 000003
【図３】
0003684949.tif 000004
【図４】
0003684949.tif 000005
【図５】
0003684949.tif 000006
【図６】
0003684949.tif 000007
【図７】
0003684949.tif 000008
【図８】
0003684949.tif 000009
【図９】
0003684949.tif 000010